(57)【特許請求の範囲】
【請求項１】
宅内設置型の電話機において、
当該電話機内の内蔵データあるいは電話機能の使用を禁止する範囲を示す１ないし複数のセキュリティレベルを有するセキュリティ状態に設定するためのセキュリティボタンを備え、
使用者による前記セキュリティボタンの操作により、当該電話機をセキュリティ状態に設定し、
前記セキュリティボタンの連続操作回数に応じて、当該電話機に設定されるセキュリティに関する前記セキュリティレベルが切り替わる、
ことを特徴とする電話機。
【請求項２】
前記セキュリティボタンにＬＥＤを内蔵し、当該電話機がセキュリティ状態に設定された場合に該ＬＥＤが点灯されることを特徴とする請求項１に記載の電話機。
【請求項３】
当該電話機に設定されたセキュリティレベルに応じて、前記ＬＥＤの発光する色、および／または、発光する発光方法が異なることを特徴とする請求項２に記載の電話機。
【請求項４】
前記セキュリティボタンの操作を有効とするか否かを切り替える有効／無効切り替え手段を備えていることを特徴とする請求項１ないし３のいずれかに記載の電話機。
【請求項５】
前記有効／無効切り替え手段として、前記セキュリティボタンの操作を有効とするか無効とするかを選択する選択画面を表示部に表示し、使用者がいずれかを選択することにより切り替えることを特徴とする請求項４に記載の電話機。
【請求項６】
前記有効／無効切り替え手段として、前記セキュリティボタンの操作状態を制御部に伝達する配線上に、使用者がオン／オフの操作を可能とするメカニカルスイッチを備えていることを特徴とする請求項４に記載の電話機。
【請求項７】
当該電話機がセキュリティ状態に設定されている際に、前記セキュリティボタンを操作することにより、セキュリティ状態を解除するためのパスワードの入力を要求するパスワード入力画面を表示部に表示し、使用者が、あらかじめ登録されているパスワードに一致するパスワードを入力することにより、セキュリティ状態を解除することを特徴とする請求項１ないし６のいずれかに記載の電話機。
【請求項８】
前記パスワード入力画面を表示するための前記セキュリティボタンの操作方法をあらかじめ登録するための操作方法登録画面を表示部に表示し、使用者が、前記セキュリティボタンの任意の操作方法を、前記パスワード入力画面を表示するための操作方法として設定登録することを特徴とする請求項７に記載の電話機。
【請求項９】
表示部に表示された前記パスワード入力画面に入力したパスワードが、あらかじめ登録されているパスワードに一致しなかった場合、あらかじめ設定された回数閾値に達しない限り、再度、前記パスワード入力画面を表示部に表示し、再度のパスワードの入力を要求することを特徴とする請求項７または８に記載の電話機。
【請求項１０】
表示部に表示された前記パスワード入力画面に入力したパスワードが、前記回数閾値を超えて、あらかじめ登録されているパスワードに一致しなかった場合、操作禁止時間としてあらかじめ設定されている一定時間の間、当該電話機のすべての操作を禁止する状態に設定することを特徴とする請求項９に記載の電話機。
【請求項１１】
当該電話機のすべての操作を禁止する状態に設定された以降、前記操作禁止時間に該当する時間が経過した際に、前記パスワード入力画面を表示した時点で当該電話機に設定されていたセキュリティ状態に復帰することを特徴とする請求項１０に記載の電話機。
【請求項１２】
宅内設置型の電話機のセキュリティを制御する電話機セキュリティ制御方法において、
当該電話機内の内蔵データあるいは電話機能の使用を禁止する範囲を示す１ないし複数のセキュリティレベルを有するセキュリティ状態に設定するためのセキュリティボタンを操作することにより、当該電話機をセキュリティ状態に設定し、
前記セキュリティボタンの連続操作回数に応じて、前記電話機に設定されるセキュリティに関する前記セキュリティレベルが切り替わる、
ことを特徴とする電話機セキュリティ制御方法。
【請求項１３】
前記セキュリティボタンの操作を有効とするか否かを切り替えることができることを特徴とする請求項１２に記載の電話機セキュリティ制御方法。
【請求項１４】
前記電話機がセキュリティ状態に設定されている際に、前記セキュリティボタンを操作することにより、セキュリティ状態を解除するためのパスワードの入力を要求するパスワード入力画面を表示部に表示し、使用者が、あらかじめ登録されているパスワードに一致するパスワードを入力することにより、セキュリティ状態を解除することを特徴とする請求項１２または１３に記載の電話機セキュリティ制御方法。
【請求項１５】
前記パスワード入力画面を表示するための前記セキュリティボタンの操作方法をあらかじめ登録するための操作方法登録画面を表示部に表示し、使用者が、前記セキュリティボタンの任意の操作方法を、前記パスワード入力画面を表示するための操作方法として設定登録することを特徴とする請求項１４に記載の電話機セキュリティ制御方法。
【請求項１６】
表示部に表示された前記パスワード入力画面に入力したパスワードが、あらかじめ登録されているパスワードに一致しなかった場合、あらかじめ設定された回数閾値に達しない限り、再度、前記パスワード入力画面を表示部に表示し、再度のパスワードの入力を要求することを特徴とする請求項１４または１５に記載の電話機セキュリティ制御方法。
【請求項１７】
表示部に表示された前記パスワード入力画面に入力したパスワードが、前記回数閾値を超えて、あらかじめ登録されているパスワードに一致しなかった場合、操作禁止時間としてあらかじめ設定されている一定時間の間、前記電話機のすべての操作を禁止する状態に設定することを特徴とする請求項１６に記載の電話機セキュリティ制御方法。
【請求項１８】
前記電話機のすべての操作を禁止する状態に設定された以降、前記操作禁止時間に該当する時間が経過した際に、前記パスワード入力画面を表示した時点で当該電話機に設定されていたセキュリティ状態に復帰することを特徴とする請求項１７に記載の電話機セキュリティ制御方法。
【請求項１９】
請求項１２ないし１８のいずれかに記載の電話機セキュリティ制御方法をコンピュータによって実行可能なプログラムとして実施していることを特徴とする電話機セキュリティ制御プログラム。
【請求項２０】
請求項１９に記載の電話機セキュリティ制御プログラムをコンピュータによって読み取り可能な記録媒体に記録していることを特徴とするプログラム記録媒体。
【発明の詳細な説明】
【技術分野】
【０００１】
本発明は、電話機、電話機セキュリティ制御方法、電話機セキュリティ制御プログラムおよびプログラム記録媒体に関する。特に、特定の場所に固定して使用される宅内設置型の一般電話機、ＩＰ電話機等の固定電話機に関する。
【背景技術】
【０００２】
従来、宅内設置型の固定電話機においては、共用、個人用を問わず、その使用方法さえ知っていれば、誰でも使用することが可能であった。
【０００３】
また、近年、固定電話機として、通話機能以外にも種々の付加機能を備えるようになってきており、それに伴い、電話機が扱うデータも多種多様になっている。
【０００４】
しかしながら、携帯電話機とは異なり、持ち運ぶことができない固定電話機は、所有者や使用者が電話機から離れた場合に、電話機内に蓄積されているデータが不特定の人間に不正に漏洩してしまう可能性があり、また、電話機機能も不正に使用されてしまう可能性があった。
【０００５】
このため、特許文献１の特開平１１−８７４３号公報「通信端末装置」にも記載のように、電話機の操作を制限するセキュリティ機能を電話機に備えることによって、不特定の人間の不正使用を防止しようとする提案がなされている。
【特許文献１】特開平１１−８７４３号公報（第２−３頁）
【発明の開示】
【発明が解決しようとする課題】
【０００６】
しかしながら、前記特許文献１のような従来の技術では、固定電話機の設定手順が複雑であったり、複数回の操作が必要であったりするため、頻繁に設定変更することが容易ではなく、一般の人は、当初の設置時に初期設定されている状態から変更することなく、そのまま、電話機を使用するのが一般的となっている。そのため、休憩や打合せなどの短時間の離席の場合にも、その都度、セキュリティを設定するのが煩わしく、初期設定状態のまま離席してしまうことが多かった。
【０００７】
本発明は、かかる事情に鑑みてなされたものであり、電話機のセキュリティ用として専用のボタンを設けることにより、ワンタッチでセキュリティ状態に設定することができ、かつ、直感的に分かり易く操作が容易な電話機を実現することによって、セキュリティ性の向上を図り、電話機の内部データの漏洩や不正使用などを防止可能とすることを、その目的としている。
【課題を解決するための手段】
【０００８】
前述の課題を解決するため、本発明による電話機、電話機セキュリティ制御方法、電話機セキュリティ制御プログラムおよびプログラム記録媒体は、次のような特徴的な構成を採用している。
【０００９】
（１）宅内設置型の電話機において、当該電話機内の内蔵データあるいは電話機能の使用を禁止する範囲を示す１ないし複数のセキュリティレベルを有するセキュリティ状態に設定するためのセキュリティボタンを備え、使用者による前記セキュリティボタンの操作により、当該電話機をセキュリティ状態に設定し、前記セキュリティボタンの連続操作回数に応じて、当該電話機に設定されるセキュリティに関する前記セキュリティレベルが切り替わる電話機。
【発明の効果】
【００１０】
本発明の電話機、電話機セキュリティ制御方法、電話機セキュリティ制御プログラムおよびプログラム記録媒体によれば、以下のような効果を得ることができる。 
【００１１】
本発明によれば、移動や持ち運びが困難な固定電話機にセキュリティ機能専用のセキュリティボタンを備えることにより、使用者は、固定電話機内の内部データや電話機機能を、セキュリティボタンのみの１回の操作のみで、使用不可にしたりまたは限定したりすることができる。あるいは、セキュリティボタンのみの複数回の押下操作により、所望のセキュリティレベルの使用制限状態に設定することができる。それにより、個人データや共有データの第三者への不正な漏洩、第三者による電話機機能の不正使用を防止することが容易な操作で実現することができる。
【発明を実施するための最良の形態】
【００１２】
以下、本発明による電話機、電話機セキュリティ制御方法、電話機セキュリティ制御プログラムおよびプログラム記録媒体の好適な実施形態について添付図を参照して説明する。なお、以下の説明においては、本発明による電話機、電話機セキュリティ制御方法について説明するが、かかる電話機セキュリティ制御方法をコンピュータにより実行可能な電話機セキュリティ制御プログラムとして実施するようにしても良いし、あるいは、電話機セキュリティ制御プログラムをコンピュータにより読み取り可能な記録媒体に記録するようにしても良いことは言うまでもない。
【００１３】
（本発明の特徴）
本発明の実施形態の説明に先立って、まず、本発明の特徴について、その概要を説明する。本発明は、日常的に移動されることがなく、持ち運びが困難な宅内設置型の固定電話機（例えば、一般電話機やＩＰ電話機など）において、セキュリティ専用のボタンを設けることによって、最低、１ボタン１操作で、電話機内に蓄積されている個人データや共有データの漏洩、電話機機能に関する各種の不正な設定変更や不正使用等を防止することができることを特徴としている。
【００１４】
（本発明の実施例の構成）
図１は、本発明に関わる電話機の回路構成の要部を一例として示した回路構成図である。図１において、電話機１は、制御部１１、メモリ１２、操作部１３、表示部１４、セキュリティボタン１５を最低限具備しており、内線間または内線−外線間通信を制御する親側の主装置２と接続されている。
【００１５】
制御部１１は、電話機１内の各部に接続されており、各部の動作を制御する。また、外部の主装置２との間のデータの送受信を制御する。操作部１３は、操作ボタンや置数キーなどから構成されており、外部からつまり使用者からの入力操作を行う装置であり、電話機１に対して、各種の指示を行うことができる。表示部１４は、電話機１前面に配置されている、白黒あるいはカラーの液晶パネルあるいは有機ＥＬ(電子蛍光)等の表示装置であり、使用者に対して、電話機１の状態を通知したり、電話機１からの要求を表示したりする。
【００１６】
セキュリティボタン１５は、セキュリティ機能をオン／オフするための専用ボタンであり、該セキュリティボタン１５内部にＬＥＤを内蔵している、内蔵ＬＥＤは、セキュリティボタン１５の押下状態に応じて点灯される。また、メモリ１２は、ＲＯＭ／ＲＡＭによって構成されており、制御部１１がプラグラムを実行する上で必要とするデータを格納するようになっている。さらに、メモリ１２には、セキュリティ管理用のパスワード１２ａ、セキュリティレベル１２ｂ、個人データ等も格納されている。
【００１７】
なお、主装置２は、電話機１に接続されており、前述のように、内線間通信または内線−外線間通信を制御する。また、複数の電話機に共有される共有データ等も格納している。
【００１８】
図１の電話機１において、セキュリティボタン１５を操作して、電話機１のセキュリティ機能をオンにすることにより、電話機１の機能の一部、あるいは、すべてをロックし、表示部１４に電話機１の現在の状態（ロックした旨）を表示させる。セキュリティ機能の解除は、操作部１３から入力したパスワードをメモリ１２にあらかじめ格納されているパスワード１２ａに関するデータと照合することによって行う。
【００１９】
このようにして、本実施例における電話機１においては、携帯電話機などの移動体通信機器とは異なり、通常持ち運ぶことのできない固定電話機内の個人データなどが第三者に不正に漏洩したり、電話機機能が第三者によって不正に使用されたりすることを防ぐセキュリティ機能を、使用者の限りなく容易な操作によって提供することを可能としている。なお、電話機１の使用者は、前述のように、当該使用者を特定することができるパスワード１２ａを、メモリ１２にあらかじめ設定登録しておく。
【００２０】
使用者が、セキュリティボタン１５を押下することにより、電話機１のセキュリティ機能が有効になる。このとき、使用者が連続してセキュリティボタン１５を押下すると、押下操作回数に連動して、表示部１４に、セキュリティレベルが、「Ｈｉｇｈ」→「Ｍｉｄｄｌｅ」→「Ｌｏｗ」→「Ｈｉｇｈ」→…のように変化しながら表示される。表示部１４の表示を確認しながら、セキュリティボタン１５の押下操作をやめた時点で、表示部１４に表示されているセキュリティレベルが有効となる。有効になったセキュリティレベルは、セキュリティレベル１２ｂに関するデータとしてメモリ１２に格納される。
【００２１】
ここで、セキュリティレベルが「Ｈｉｇｈ」の場合には、使用制限範囲が最も広く、例えば、セキュリティボタン１５以外のすべての電話機機能を使用することができなくなるレベルであり、セキュリティレベルが「Ｌｏｗ」の場合には、使用制限範囲が最も狭く、例えば、通話機能のみを禁止するレベルであり、「Ｍｉｄｄｌｅ」の場合は、その中間に位置するレベルである。なお、セキュリティレベルとしては、かかる場合に限るものではなく、１ないし複数の任意の階層に、レベル分けするようにしても良い。
【００２２】
セキュリティ機能が有効となっている電話機１においては、設定されたセキュリティレベル１２ｂで許可された範囲内の操作しか行うことができなくなり、表示部１４には、アイコン、スクリーンセーバまたは文字等によって、セキュリティ機能が有効であること、かつ、設定されたセキュリティレベルが表示される。また、セキュリティ機能が有効になると、セキュリティボタン１５の内部に実装されているＬＥＤが点灯する。
【００２３】
かくのごときセキュリティ機能が有効になっている状態で、再度、セキュリティボタン１５を押下すると、パスワードを求める画面が表示部１４に表示され、操作部１３より、メモリ１２にあらかじめ登録されているパスワード１２ａに一致する正しいパスワードを入力した場合に限って、電話機１のセキュリティ機能は解除される。誤ったパスワードを入力した場合には、再び、パスワードを求める画面が表示部１４に表示される。
【００２４】
あらかじめ設定された回数閾値を超えて、誤ったパスワードを繰り返して入力すると、あらかじめ定めた一定時間（操作禁止時間）の間、当該電話機１のすべての操作を行うことができなくなる。一定時間（操作禁止時間）が経過した後、セキュリティボタン１５を再び押下すると、パスワードを求める画面が表示部１４に表示される。
【００２５】
なお、セキュリティ機能を解除した後、セキュリティボタン１５を押下すれば、再び、セキュリティ機能が有効となる。
【００２６】
（実施例の動作の説明）
次に、図１の電話機１の動作の一例について、図２のフローチャートを用いて説明する。図２は、図１に示す電話機の動作の一例を示すフローチャートであり、セキュリティボタン１５の操作について説明している。
【００２７】
まず、電話機１の使用者は、電話機１が待ち受け状態になっているときに（ステップＳ２０）、セキュリティボタン１５を、設定したいセキュリティレベルに応じて、１回または任意の回数、連続して押下する(ステップＳ２１)。制御部１１は、セキュリティボタン１５が押下された回数をカウントし、その回数に応じて、セキュリティレベルを決定し、セキュリティレベル１２ｂに関するデータとしてメモリ１２に設定登録する(ステップＳ２２)。
【００２８】
さらに、制御部１１は、決定されたセキュリティレベルに対応した使用制限範囲を示す制限範囲データをメモリ１２より呼び出し、該制限範囲データに該当する電話機１の機能、操作を制限する。この結果、電話機１のセキュリティ機能が有効となる（ステップＳ２３)。セキュリティ機能が有効になると、表示部１４には、その状態を示す専用アイコン、あるいは、スクリーンセーバ、あるいは、文字列等が表示され、さらに、セキュリティボタン１５内に実装されているＬＥＤが点灯する(ステップＳ２４)。このセキュリティ状態が有効になると、設定されたセキュリティレベル１２ｂに応じて、該当する電話機機能が第三者によって不正に使用されることが一切できない状態になる。
【００２９】
また、制御部１１は、電話機１が接続されている主装置２に対して、当該電話機１のセキュリティ機能が有効になったことを通知する。主装置２は、セキュリティ機能が有効になった電話機１に着信してきた内線着信または外線着信に対して、着信を拒否する旨のワーニングトーンを返す。
【００３０】
セキュリティ機能が有効となっている状態で、セキュリティボタン１５が押下されると（ステップＳ２５のＹｅｓ）、電話機１は、パスワード入力待ち状態になり、表示部１４には、パスワード入力を求める画面が表示される。表示部１４の表示を確認した使用者は、操作部１３よりパスワードを入力する（ステップＳ２６）。パスワードが入力されると、制御部１１は、メモリ１２にあらかじめ登録されているパスワード１２ａを呼び出して、操作部１３より入力されたパスワードと比較する（ステップＳ２７）。
【００３１】
両者のパスワードが一致していれば（ステップＳ２７のＹｅｓ）、制御部１１は、電話機１のセキュリティ機能を解除し、電話機１を通常の待ち受け状態に設定する(ステップＳ２８)。セキュリティ機能の解除後の待ち受け状態において、セキュリティボタン１５が再び押下されると、電話機１のセキュリティ機能は再度有効となる。
【００３２】
一方、パスワードが一致しなかった場合（ステップＳ２７のＮｏ）、制御部１１は、パスワードの連続入力失敗の回数をカウントするデータに１を加える。制御部１１は、パスデータの連続入力失敗回数データと、メモリ１２にあらかじめ格納されている連続入力失敗回数上限値データ（つまりあらかじめ設定された回数閾値）とを比較する(ステップＳ２９)。パスデータの連続入力失敗回数が連続入力失敗回数上限値つまりあらかじめ設定された回数閾値以下であった場合（ステップＳ２９のＹｅｓ）、ステップＳ２６に復帰して、電話機１はパスワード入力待ち状態に戻る。
【００３３】
また、パスデータの連続入力失敗回数が連続入力失敗回数上限値つまりあらかじめ設定された回数閾値を超えていた場合には（ステップＳ２９のＮｏ）、制御部１１は、電話機１のセキュリティボタン１５を含む全操作を、操作禁止時間としてあらかじめ設定されている一定時間の間、行うことができない状態に設定する(ステップＳ３０)。この一定時間（操作禁止時間）は、メモリ１２にデータとしてあらかじめ格納されており、制御部１１が、その一定時間（操作禁止時間）に関するデータを読み出して、時間の設定を行う。
【００３４】
設定された一定時間（操作禁止時間）が経過した後は、制御部１１は、ステップＳ２３に復帰して、電話機１をセキュリティ機能が有効となっている状態へ戻す。
【００３５】
（本実施例の効果の説明）
以上説明したように、本発明による実施例においては、以下のような効果を奏することができる。
【００３６】
つまり、本実施例によれば、使用者は、移動や持ち運びが困難な固定電話機内の内部データや電話機機能を、セキュリティボタン１５のみの１回ないし複数回の操作のみで、使用不可にしたりまたは限定したりすることができる。それにより、個人データや共有データの第三者への不正な漏洩、第三者による電話機機能の不正使用を防止することが容易な操作で実現することができる。
【００３７】
（本発明の他の実施例）
本発明の他の実施例として、基本的構成は、前述の実施例の場合とまったく同様であるが、以下のようなセキュリティ機能を実現することもできる。
【００３８】
（１）セキュリティボタン１５の押下操作の有効/無効機能
セキュリティボタン１５は、通常、押下操作がし易い位置に実装されるが、この結果、セキュリティ機能が必要のない場所で電話機１を使用している場合などにおいても、接触や誤操作によって、勝手にセキュリティ機能が有効となってしまうケースが考えられる。そこで、セキュリティボタン１５の押下操作を有効または無効に設定することができるようにしても良い。これにより、使用状況に合わせたさらに効果的なセキュリティ機能を提供することが可能となる。
【００３９】
セキュリティボタン１５の押下操作の有効/無効機能の実現方法としては、以下の方法がある。
【００４０】
（ａ）ソフト的な設定方法
図１の電話機１の各種設定画面として、セキュリティボタン１５押下操作の有効/無効の設定画面を用意して、電話機１の操作部１３を操作して、電話機１の各種設定画面のうち、セキュリティボタン１５押下操作の有効/無効の設定画面を表示部１４に表示することにより、セキュリティボタン１５の有効／無効を切り替える。
【００４１】
（ｂ）ハード的な設定方法
セキュリティボタン１５の制御部１１への配線の途中に、メカニカルスイッチを設け、該メカニカルスイッチのオン／オフを使用者が切り替えることによって、セキュリティボタン１５の有効／無効を切り替える。
【００４２】
（２）セキュリティ機能解除のためのセキュリティボタン１５の操作方法
セキュリティ機能が有効となっている状態において、セキュリティボタン１５を押下すると、前述の実施例においては、即パスワード入力画面を表示する。また、パスワードの誤入力も、連続入力失敗回数上限値の範囲内であれば、数回許されているため、第三者によって勝手なパスワードの入力が何回かなされたうちに、偶然、登録されているパスワード１２ａと一致するパスワードが入力されてしまうことがあり、セキュリティ機能が解除されてしまうおそれもある。
【００４３】
そこで、パスワード入力画面を表示するためのセキュリティボタン１５の操作方法を任意の方法に変更可能とするようにしても良い。例えば、セキュリティ機能が有効となっている状態においては、２回押し、長押しなどの操作をしない限り、パスワード入力画面を表示しないようにする。かくのごときセキュリティボタン１５の操作方法の変更により、セキュリティ機能が有効となっている状態におけるパスワード要求画面の表示手順を知らない者は、容易にはパスワードを入力することができなくなり、電話機１のセキュリティをさらに向上させることが可能となる。
【００４４】
セキュリティ機能解除のためのセキュリティボタン１５の操作方法の変更方法としては、以下の方法がある。
【００４５】
図１の電話機１の各種設定画面として、セキュリティ機能解除のためのセキュリティボタン１５の操作方法の変更画面（つまり、セキュリティ機能解除のための操作方法を登録するための操作方法登録画面）を用意して、電話機１の操作部１３を操作して、電話機１の各種設定画面のうち、セキュリティ機能解除のためのセキュリティボタン１５の操作方法の変更画面を表示部１４に表示することにより、セキュリティ機能解除のためのセキュリティボタン１５の操作方法を変更する。
【００４６】
（３）セキュリティレベルに対応したＬＥＤ点灯
セキュリティレベルごとに、セキュリティボタン１５に内蔵されたＬＥＤの色、または、発光状態を変更させることによって、使用者が自ら設定したセキュリティレベルを容易に確認することを可能にするようにしても良い。
【００４７】
セキュリティレベルに対応したＬＥＤの点灯方法としては、以下の方法がある。
【００４８】
（ａ）セキュリティレベルごとにＬＥＤの色を変更
多色発光可能なＬＥＤをセキュリティボタン内部へ実装し、各セキュリティレベルのデータとして、それぞれのレベルに対応させて発光すべきＬＥＤの色に関するデータを追加してメモリ１２に格納する。これにより、セキュリティ機能を有効にする際に、メモリ１２から呼び出されたＬＥＤの色に関するデータに基づいて、制御部１１は、セキュリティレベルに対応した色でＬＥＤを発光させることができる。
【００４９】
（ｂ）セキュリティレベルごとにＬＥＤの発光方法を変更
各セキュリティレベルのデータとして、それぞれのレベルに対応した発光方法(例えば、常時点灯、点滅周期など)に関するデータを追加してメモリ１２に格納する。これにより、セキュリティ機能を有効にする際に、メモリ１２から呼び出された発光方法に関するデータに基づいて、制御部１１は、セキュリティレベルに対応した発光方法でＬＥＤを発光させることができる。
【００５０】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
【００５１】
（２）当該電話機が待ち受け状態にある場合において、前記セキュリティボタンの操作が有効になる上記（１）の電話機。
（３）当該電話機内の内蔵データあるいは電話機能の使用を禁止する範囲を示す１ないし複数のセキュリティレベルを有し、前記セキュリティボタンの連続操作回数に応じて、当該電話機に設定されるセキュリティに関する前記セキュリティレベルが切り替わる上記（１）または（２）の電話機。
（４）前記セキュリティボタンにＬＥＤを内蔵し、当該電話機がセキュリティ状態に設定された場合に該ＬＥＤが点灯される上記（１）ないし（３）のいずれかの電話機。
（５）セキュリティ状態として複数のセキュリティレベルが存在している場合、当該電話機に設定されたセキュリティレベルに応じて、前記ＬＥＤの発光する色、および／または、発光する発光方法が異なる上記（４）の電話機。
（６）前記セキュリティボタンの操作を有効とするか否かを切り替える有効／無効切り替え手段を備えている上記（１）ないし（５）のいずれかの電話機。
（７）前記有効／無効切り替え手段として、前記セキュリティボタンの操作を有効とするか無効とするかを選択する選択画面を表示部に表示し、使用者がいずれかを選択することにより切り替える上記（６）の電話機。
（８）前記有効／無効切り替え手段として、前記セキュリティボタンの操作状態を制御部に伝達する配線上に、使用者がオン／オフの操作を可能とするメカニカルスイッチを備えている上記（６）の電話機。
（９）当該電話機がセキュリティ状態に設定されている際に、前記セキュリティボタンを操作することにより、セキュリティ状態を解除するためのパスワードの入力を要求するパスワード入力画面を表示部に表示し、使用者が、あらかじめ登録されているパスワードに一致するパスワードを入力することにより、セキュリティ状態を解除する上記（１）ないし（８）のいずれかの電話機。
（１０）前記パスワード入力画面を表示するための前記セキュリティボタンの操作方法をあらかじめ登録するための操作方法登録画面を表示部に表示し、使用者が、前記セキュリティボタンの任意の操作方法を、前記パスワード入力画面を表示するための操作方法として設定登録する上記（９）の電話機。
（１１）表示部に表示された前記パスワード入力画面に入力したパスワードが、あらかじめ登録されているパスワードに一致しなかった場合、あらかじめ設定された回数閾値に達しない限り、再度、前記パスワード入力画面を表示部に表示し、再度のパスワードの入力を要求する上記（９）または（１０）の電話機。
（１２）表示部に表示された前記パスワード入力画面に入力したパスワードが、前記回数閾値を超えて、あらかじめ登録されているパスワードに一致しなかった場合、操作禁止時間としてあらかじめ設定されている一定時間の間、当該電話機のすべての操作を禁止する状態に設定する上記（１１）の電話機。
（１３）当該電話機のすべての操作を禁止する状態に設定された以降、前記操作禁止時間に該当する時間が経過した際に、前記パスワード入力画面を表示した時点で当該電話機に設定されていたセキュリティ状態に復帰する上記（１２）の電話機。
（１４）宅内設置型の電話機のセキュリティを制御する電話機セキュリティ制御方法において、当該電話機内の内蔵データあるいは電話機能の一部またはすべての使用が禁止されるセキュリティ状態に設定するためのセキュリティボタンを操作することにより、当該電話機をセキュリティ状態に設定する電話機セキュリティ制御方法。
（１５）前記電話機が待ち受け状態にある場合において、前記セキュリティボタンの操作が有効になる上記（１４）の電話機セキュリティ制御方法。
（１６）前記電話機内の内蔵データあるいは電話機能の使用を禁止する範囲を示す１ないし複数のセキュリティレベルを有し、前記セキュリティボタンの連続操作回数に応じて、前記電話機に設定されるセキュリティに関する前記セキュリティレベルが切り替わる上記（１４）または（１５）の電話機セキュリティ制御方法。
（１７）前記セキュリティボタンの操作を有効とするか否かを切り替えることができる上記（１４）ないし（１６）のいずれかの電話機セキュリティ制御方法。
（１８）前記電話機がセキュリティ状態に設定されている際に、前記セキュリティボタンを操作することにより、セキュリティ状態を解除するためのパスワードの入力を要求するパスワード入力画面を表示部に表示し、使用者が、あらかじめ登録されているパスワードに一致するパスワードを入力することにより、セキュリティ状態を解除する上記（１４）ないし（１７）のいずれかの電話機セキュリティ制御方法。
（１９）前記パスワード入力画面を表示するための前記セキュリティボタンの操作方法をあらかじめ登録するための操作方法登録画面を表示部に表示し、使用者が、前記セキュリティボタンの任意の操作方法を、前記パスワード入力画面を表示するための操作方法として設定登録する上記（１８）の電話機セキュリティ制御方法。
（２０）表示部に表示された前記パスワード入力画面に入力したパスワードが、あらかじめ登録されているパスワードに一致しなかった場合、あらかじめ設定された回数閾値に達しない限り、再度、前記パスワード入力画面を表示部に表示し、再度のパスワードの入力を要求する上記（１８）または（１９）の電話機セキュリティ制御方法。
（２１）表示部に表示された前記パスワード入力画面に入力したパスワードが、前記回数閾値を超えて、あらかじめ登録されているパスワードに一致しなかった場合、操作禁止時間としてあらかじめ設定されている一定時間の間、前記電話機のすべての操作を禁止する状態に設定する上記（２０）の電話機セキュリティ制御方法。
（２２）前記電話機のすべての操作を禁止する状態に設定された以降、前記操作禁止時間に該当する時間が経過した際に、前記パスワード入力画面を表示した時点で当該電話機に設定されていたセキュリティ状態に復帰する上記（２１）の電話機セキュリティ制御方法。
（２３）上記（１４）ないし（２２）のいずれかの電話機セキュリティ制御方法をコンピュータによって実行可能なプログラムとして実施している電話機セキュリティ制御プログラム。
（２４）上記（２３）の電話機セキュリティ制御プログラムをコンピュータによって読み取り可能な記録媒体に記録しているプログラム記録媒体。
【図面の簡単な説明】
【００５２】
【図１】本発明に関わる電話機の回路構成の要部を一例として示した回路構成図である。
【図２】図１に示す電話機の動作の一例を示すフローチャートである。
【符号の説明】
【００５３】
１      電話機
１１    制御部
１２    メモリ
１２ａ  パスワード
１２ｂ  セキュリティレベル
１３    操作部
１４    表示部
１５    セキュリティボタン
２      主装置
【図１】
0004974080.tif 000002
【図２】
0004974080.tif 000003